(57)【要約】  【課題】      就寝時にバストを理想の形に保持することのできる就寝用ブラジャーを提供する。  【解決手段】  就寝用ブラジャー１０は、右側のバストを包み込む三日月状の右側バストカップ１２と、左側のバストを包み込む三日月状の左側バストカップ１４と、右側バストカップ１２および左側バストカップ１４の周囲に配置され、右側バストカップ１２および左側バストカップ１４の一方端部どうしおよび他方端部どうしを交差させた状態で右側バストカップ１２および左側バストカップ１４の外周縁に縫い付けられた保持パネル１６と、保持パネル１６を胴体に固定する胴回パネル１８と、保持パネル１６を吊上げる肩掛部２０とを備えている。そして、右側バストカップ１２および左側バストカップ１４は、バストの下部、中央部および上部を覆う本体パネル２２，２６と、脇側部を覆う側部パネル２４，２８とによって立体縫製されている。【選択図】      図１
0003107384.tif 000002
【実用新案登録請求の範囲】
【請求項１】
右側のバストを包み込む三日月状の右側バストカップと、左側のバストを包み込む三日月状の左側バストカップと、前記右側バストカップおよび前記左側バストカップの周囲に配置され、前記右側バストカップおよび前記左側バストカップの一方端部どうしおよび他方端部どうしを交差させた状態でそれらの外周縁に縫い付けられた保持パネルと、前記保持パネルを胴体に固定する胴回パネルと、前記保持パネルを吊上げる肩掛部とを備える、就寝用ブラジャーにおいて、
前記右側バストカップおよび前記左側バストカップは、バストの下部、中央部および上部を覆う本体パネルと、脇側部を覆う側部パネルとによって立体縫製されていることを特徴とする、就寝用ブラジャー。
【請求項２】
前記右側バストカップおよび前記左側バストカップの外周部には、補強用のサポートパネルが前記本体パネルおよび前記側部パネルに重ねて縫い付けられている、請求項１に記載の就寝用ブラジャー。
【考案の詳細な説明】
【技術分野】
【０００１】
本考案は、就寝時にバストの形が崩れるのを防止するための就寝用ブラジャーに関する。
【背景技術】
【０００２】
この種の従来の就寝用ブラジャー１は、図４に示すように、右側のバストを包み込む三日月状の右側バストカップ２と、左側のバストを包み込む三日月状の左側バストカップ３とを有しており、これらのバストカップ２および３は、図５に示すように、１枚の布地２ａおよび３ａに設けられた１つまたは複数のダーツ４を縫い合わせることによって立体縫製されていた。そして、バストカップ２および３の外周縁に保持パネル５の内周縁が縫い付けられていた。
【０００３】
なお、この就寝用ブラジャー１（図４）は、既に製造・販売されているものではあるが、バストカップ２および３の具体的な構成が示された文献は存在しないため、先行技術文献の開示は省略する。
【考案の開示】
【考案が解決しようとする課題】
【０００４】
従来の就寝用ブラジャー１（図４）では、ダーツ４を縫い合わせることによってバストカップ２および３を立体縫製していたので（図５）、バストカップ２および３をバストの形に沿うように丸みをもたせて滑らかに仕上げるのが困難であった。そのため、バストカップ２および３をバストに密着させることができず、バストを理想の形に保持することができなかった。
【０００５】
それゆえに、この考案の主たる目的は、就寝時にバストを理想の形に保持することのできる就寝用ブラジャーを提供することである。
【課題を解決するための手段】
【０００６】
請求項１に記載した考案は、「右側のバストを包み込む三日月状の右側バストカップ１２と、左側のバストを包み込む三日月状の左側バストカップ１４と、右側バストカップ１２および左側バストカップ１４の周囲に配置され、右側バストカップ１２および左側バストカップ１４の一方端部どうしおよび他方端部どうしを交差させた状態でそれらの外周縁に縫い付けられた保持パネル１６と、保持パネル１６を胴体に固定する胴回パネル１８と、保持パネル１６を吊上げる肩掛部２０とを備える、就寝用ブラジャー１０において、右側バストカップ１２および左側バストカップ１４は、バストの下部、中央部および上部を覆う本体パネル２２，２６と、脇側部を覆う側部パネル２４，２８とによって立体縫製されていること」を特徴とする。
【０００７】
この考案では、左右のバストカップ１２，１４を本体パネル２２，２６と側部パネル２４，２８とによって立体縫製しているので、左右のバストカップ１２，１４をバストの形に沿うように丸みをもたせて滑らかに仕上げることができる。
【０００８】
請求項２に記載した考案は、請求項１に記載した「就寝用ブラジャー１０」であって、「右側バストカップ１２および左側バストカップ１４の外周部には、補強用のサポートパネル３２が本体パネル２２，２６および側部パネル２４，２８に重ねて縫い付けられている」ことを特徴とする。
【０００９】
この考案では、左右のバストカップ１２，１４の外周部に補強用のサポートパネル３２を縫い付けているので、バストの下部および脇側部をより確実に保持することができる。
【考案の効果】
【００１０】
請求項１および２に記載した考案によれば、バストカップとバストとの密着性を高めることができ、起きている時でも寝ている時でもバストを理想の形に保持することができる。
【考案を実施するための最良の形態】
【００１１】
本考案が適用された就寝用ブラジャー１０は、図１に示すように、右側のバストを包み込む三日月状の右側バストカップ１２と、左側のバストを包み込む三日月状の左側バストカップ１４と、右側バストカップ１２および左側バストカップ１４を保持する保持パネル１６と、保持パネル１６を胴体に固定する胴回パネル１８と、保持パネル１６を吊上げる肩掛部２０とを備えている。
【００１２】
右側バストカップ１２は、バストの下部、中央部および上部を覆う本体パネル２２と脇側部を覆う側部パネル２４とによって山状に立体縫製されている。本体パネル２２は、胸の中央部を斜行する斜行部２２ａと、右側の肩掛部２０の延長線上で保持パネル１６に接続された右上接続部２２ｂと、左側の肩掛部２０の延長線上で保持パネル１６に接続された左上接続部２２ｃと、保持パネル１６の下部に接続された下接続部２２ｄとによって構成されており、本体パネル２２の脇側縁は、所定の曲率で湾曲されている。そして、本体パネル２２の脇側縁に木葉状の側部パネル２４が縫い付けられている。本体パネル２２の脇側縁の曲率は、図２に示すように、そこに接続される側部パネル２４の側縁の曲率よりも小さく設定されている。したがって、本体パネル２２に側部パネル２４を縫い付けると、本体パネル２２が湾曲されて山状に膨らんだ右側バストカップ１２が得られる。
【００１３】
左側バストカップ１４は、バストの下部、中央部および上部を覆う本体パネル２６と脇側部を覆う側部パネル２８とによって立体縫製されている。本体パネル２６は、胸の中央部を斜行する斜行部２６ａと、左側の肩掛部２０の延長線上で保持パネル１６に接続された左上接続部２６ｂと、右側の肩掛部２０の延長線上で保持パネル１６に接続された右上接続部２６ｃと、保持パネル１６の下部に接続された下接続部２６ｄとによって構成されており、本体パネル２６の脇側縁に木葉状の側部パネル２８が縫い付けられている。本体パネル２６の脇側縁の曲率は、側部パネル２８の側縁の曲率よりも小さく設定されており、したがって、本体パネル２６に側部パネル２８を縫い付けると、本体パネル２６が湾曲されて山状に立体化された左側バストカップ１４が得られる。
【００１４】
保持パネル１６は、右側バストカップ１２および左側バストカップ１４の周囲に配置され、かつ、上部が開かれた略Ｃ状の枠材であり、保持パネル１６の内周縁には、右側バストカップ１２および左側バストカップ１４の一方端部どうしおよび他方端部どうしを交差させた状態でこれらの外周縁が縫い付けられている。
【００１５】
つまり、保持パネル１６の下部１６ａには、左右のバストカップ１２および１４を構成する本体パネル２２および２６の下接続部２２ｄおよび２６ｄが縫い付けられており、右上部１６ｂには、右上接続部２２ｂおよび２６ｃが縫い付けられており、左上部１６ｃには、左上接続部２６ｂおよび２２ｃが縫い付けられている。また、保持パネル１６の右側の脇側部には、右側バストカップ１２を構成する側部パネル２４が縫い付けられており、左側の脇側部には、左側バストカップ１４を構成する側部パネル２８が縫い付けられている。
【００１６】
胴回パネル１８は、保持パネル１６の一方の側部から他方の側部へ至る帯状部材であり、胴回パネル１８と肩掛部２０の後部分とが一枚の布で一体に構成されている。肩掛部２０は、保持パネル１６の右上部１６ｂおよび左上部１６ｃから胴回パネル１８の上部へ至る紐状部材あり、肩掛部２０の前部分と保持パネル１６とが一枚の布で一体に構成されている。そして、肩掛部２０の後部分と前部分とが縫い合わされており、胴回パネル１８の端部と保持パネル１６の脇側部とが縫い合わされている。
【００１７】
就寝用ブラジャー１０を構成する右側バストカップ１２、左側バストカップ１４、保持パネル１６、胴回パネル１８および肩掛部２０は、身体に密着し得るように、柔らかな伸縮性の布地で形成されており、また、これらの構成部材の縁には、補強のためのゴム紐３０が縫い付けられている。
【００１８】
就寝用ブラジャー１０を装着した状態では、バストカップ１２および１４がバストに密着し、起きている時でも寝ている時でもバストを胸の中央部へ引き寄せることができ、バストを理想の形に保持することができる。つまり、あお向けに寝た時には、図１中の矢印Ａ１、Ｂ１、Ａ２、Ｂ２の方向の引張力によって左右のバストが胸の中央部へ寄せられ、右へ傾いて寝た時には、矢印Ａ、Ｂの方向の引張力によって右側のバストが持ち上げられる。また、起きている時には、図１中の矢印Ａ１、Ａ２の方向の引張力によって左右のバストが持ち上げられるとともに胸の中央部へ寄せられる。
【００１９】
なお、右側バストカップ１２および左側バストカップ１４の外周部には、図３に示すように、本体パネル２２および２６と側部パネル２４および２８に重ねて補強用のサポートパネル３２を縫い付けるようにしてもよい。この場合には、右側バストカップ１２および左側バストカップ１４をサポートパネル３２で補強できるので、バストを胸の中央部へ引き寄せる力を増大でき、バストをより確実に保持できる。
【図面の簡単な説明】
【００２０】
【図１】就寝用ブラジャーを示す斜視図である。
【図２】バストカップの立体縫製方法を示す正面図である。
【図３】バストカップをサポートパネルで補強した実施例を示す斜視図である。
【図４】従来の就寝用ブラジャーを示す斜視図である。
【図５】従来のバストカップの立体縫製方法を示す正面図である。
【符号の説明】
【００２１】
１０…  就寝用ブラジャー
１２…  右側バストカップ
１４…  左側バストカップ
１６…  保持パネル
１８…  胴回パネル
２０…  肩掛部
２２，２６…  本体パネル
２２ａ，２６ａ…  斜行部
２２ｂ，２６ｃ…  右上接続部
２２ｃ，２６ｂ…  左上接続部
２２ｄ，２６ｄ…  下接続部
２４，２８…  側部パネル
３０…  ゴム紐
３２…  サポートパネル
【図１】
0003107384.tif 000003
【図２】
0003107384.tif 000004
【図３】
0003107384.tif 000005
【図４】
0003107384.tif 000006
【図５】
0003107384.tif 000007